(57)【要約】      （修正有）【課題】画像ファイルの操作性、および閲覧性の優れた画像蓄積装置の提供。【解決手段】記憶手段と、前記記憶手段のフォルダを選択するための選択手段と、選択された前記フォルダに応じて、前記選択されたフォルダに直属するファイル又はフォルダのインデックスを表示する第一モード、又は前記選択されたフォルダに従属する所定種の画像ファイル全てのインデックスを表示する第二モードで前記選択されたフォルダに従属するファイル又はフォルダのインデックスを表示し、前記表示されたインデックスに含まれているファイル又はフォルダの操作を受け付けるためのファイル操作手段と、を備えることを特徴とする画像蓄積装置。【選択図】図１
2010134920.tif 000002
【特許請求の範囲】
【請求項１】
記憶手段と、
前記記憶手段の第一フォルダに従属する任意のフォルダを選択するための選択手段と、
外部記憶媒体に格納された画像ファイルを前記選択手段によって選択されたフォルダに直属させて前記記憶手段に格納するとともに、前記外部記憶媒体に格納された全てのファイルを、前記外部記憶媒体のディレクトリ木構造を維持したまま前記記憶手段の第二フォルダに従属させて前記記憶手段に格納する入力手段と、
任意のフォルダに直属して前記記憶手段に格納されている全てのファイルのインデックスを表示し、前記表示されたインデックスに含まれているファイルの操作を受け付けるためのファイル操作手段と、
を備えることを特徴とする画像蓄積装置。
【請求項２】
前記ファイル操作手段は、任意のフォルダに直属して前記記憶手段に格納されている全ての画像ファイルのサムネイル画像の一覧を、前記任意のフォルダに直属して前記記憶手段に格納されている画像ファイルのインデックスとして表示することを特徴とする請求項１に記載の画像蓄積装置。
【請求項３】
前記入力手段は、前記外部記憶媒体に格納された所定種の画像ファイルの全てを前記選択手段によって選択されたフォルダに直属させて前記記憶手段に格納することを特徴とする請求項１又は２に記載の画像蓄積装置。
【請求項４】
前記第一フォルダは前記第二フォルダに従属していないことを特徴とする請求項１、２又は３に記載の画像蓄積装置。
【請求項５】
前記第二フォルダは前記第一フォルダに従属していないことを特徴とする請求項１、２又は３に記載の画像蓄積装置。
【請求項６】
記憶手段と、
前記記憶手段の第一フォルダに従属する任意のフォルダを選択するための選択手段と、
外部記憶媒体に格納された画像ファイルを前記選択手段によって選択されたフォルダに直属させて前記記憶手段に格納するとともに、前記外部記憶媒体に格納された全てのファイルを、前記外部記憶媒体のディレクトリ木構造を維持したまま前記第一フォルダに従属しない前記記憶手段の第二フォルダに従属させて前記記憶手段に格納する入力手段と、
任意のフォルダに直属して前記記憶手段に格納されている全てのファイルのインデックスを表示し、前記表示されたインデックスに含まれているファイルの操作を受け付けるためのファイル操作手段としてコンピュータを機能させるための画像蓄積プログラム。
【請求項７】
記憶手段と、
前記記憶手段のフォルダを選択するための選択手段と、
所定のフォルダに従属している所定種の画像ファイルを検索し、前記検索された画像ファイルを前記選択手段によって選択されたフォルダに直属させて前記記憶手段に格納する収集手段と、
任意のフォルダに直属して前記記憶手段に格納されている全てのファイルのインデックスを表示し、表示されたインデックスに含まれているファイルの操作を受け付けるためのファイル操作手段と、
を備えることを特徴とする画像蓄積装置。
【請求項８】
前記収集手段は、検索された画像ファイルを、前記検索された画像ファイルの作成時を表すファイル名にリネームすることを特徴とする請求項７に記載の画像蓄積装置。
【請求項９】
前記選択手段は、前記所定のフォルダに従属しないフォルダのみ選択可能であることを特徴とする請求項７又は８に記載の画像蓄積装置。
【請求項１０】
前記選択手段は、前記所定のフォルダが従属しないフォルダのみ選択可能であることを特徴とする請求項７、８又は９に記載の画像蓄積装置。
【請求項１１】
前記ファイル操作手段は、任意のフォルダに直属して前記記憶手段に格納されている全ての画像ファイルのサムネイル画像の一覧を、前記任意のフォルダに直属して前記記憶手段に格納されている画像ファイルのインデックスとして表示することを特徴とする請求項７〜１０のいずれか一項に記載の画像蓄積装置。
【請求項１２】
記憶手段と、
前記記憶手段のフォルダを選択するための選択手段と、
所定のフォルダに従属している所定種の画像ファイルを検索し、前記検索された画像ファイルを前記選択手段によって選択されたフォルダに直属させて前記記憶手段に格納する収集手段と、
任意のフォルダに直属して前記記憶手段に格納されている全てのファイルのインデックスを表示し、表示されたインデックスに含まれているファイルの操作を受け付けるためのファイル操作手段としてコンピュータを機能させるための画像蓄積プログラム。
【発明の詳細な説明】
【技術分野】
【０００１】
本発明は画像ファイルを蓄積するための画像蓄積装置及びプログラムに関する。
【背景技術】
【０００２】
近年、ディジタルカメラの普及によりディジタル写真等の画像ファイルが広く利用されている。画像ファイルはテキストファイル等に比べてデータが大きいため、ディジタルカメラが画像ファイルを出力するリムーバブルメモリの容量は不足しがちである。この問題を解決するものとして、携帯型画像ビューワが開発されている（例えば非特許文献１参照。）。
【０００３】
しかし、非特許文献１に記載された携帯型画像ビューワでは、リムーバブルメモリに格納された全ファイルを、ディレクトリ木構造を維持して内蔵ハードディスクに書き込むため、ディレクトリ階層の深部にある画像の操作性に問題がある。尚、本明細書では、木構造の各節点がフォルダ又はファイルに対応しているディレクトリの構造をディレクトリ木構造というものとする。
【０００４】
また、ディジタル写真等の画像ファイルは、テキストファイル等に比べてファイル名で内容を判別することが困難であるため、フォルダなどで整理して保存されていなければ、検索が困難である。この問題を解決するものとして、ディジタル写真管理ツールが開発されている（例えば非特許文献２参照。）。
【０００５】
ハードディスク等の記憶媒体に格納されたファイルを管理するためのプログラムとして、一般にＯＳの一部として提供されるファイルシステムと、非特許文献２に記載されたディジタル写真管理ツールのように特定種類のファイルのみを管理するためのアプリケーションが知られている。木構造のディレクトリを採用しているファイルシステムでは、カレントディレクトリに直属しているファイル及びフォルダを一覧表示し、一覧表示されたファイル及びフォルダの操作を受け付ける。非特許文献２に記載されたアプリケーションでは、ディレクトリの階層構造と無関係に画像ファイルをグループ分けすることができ、グループ毎に画像ファイルを一覧表示し、表示された画像ファイルの操作を受け付けるため、画像ファイルの管理及び操作が容易である。
【０００６】
しかし、非特許文献２に記載されたアプリケーションによって管理されている画像ファイルは、そのアプリケーションのＧＵＩから画像ファイルのディレクトリエントリを把握しにくいため、ＯＳのファイルシステムによってディレクトリの階層を段階的に辿ってアクセスすることが困難である。したがって、非特許文献２に記載されたアプリケーションによって管理されているファイルにアクセスしようとする場合、その都度そのアプリケーションを起動しなければならない。
【０００７】
また、非特許文献２に記載されたディジタル写真管理ツールは、画像ファイルのみを取り込むためリムーバブルメモリ全体をバックアップすることができない。
また、非特許文献２に記載されたアプリケーションは、画像ファイルを一覧表示する際に、その都度ディレクトリを辿って画像ファイルを検索する。このため、非特許文献２に記載されたアプリケーションによると、一覧表示に時間を要するという問題がある。
【先行技術文献】
【非特許文献】
【０００８】
【非特許文献１】株式会社インプレス、日本ポラデジタル２０ＧＢＨＤＤ１．８型液晶搭載の携帯型画像ビューワ、平成１４年９月２５日、［平成１４年１２月１８日検索］、インターネット〈ＵＲＬ：ｈｔｔｐ：／／ｗｗｗ．ｗａｔｃｈ．ｉｍｐｒｅｓｓ．ｃｏ．ｊｐ／ｐｃ／ｄｏｃｓ／２００２／０９２５／ｎｐｏｌａ．ｈｔｍ〉
【非特許文献２】アップルコンピュータ株式会社、ｉｐｈｏｔｏ、平成１４年、［平成１４年１２月１８日検索］、インターネット〈ＵＲＬ：ｈｔｔｐ：／／ｗｗｗ．ａｐｐｌｅ．ｃｏ．ｊｐ／ｉｐｈｏｔｏ〉
【発明の概要】
【発明が解決しようとする課題】
【０００９】
本発明は、画像ファイルの操作性に優れた画像蓄積装置及びプログラムを提供することを第一の目的とする。
本発明は、記憶媒体の全体をバックアップすることができ、画像ファイルの操作性に優れた画像蓄積装置及びプログラムを提供することを第二の目的とする。
本発明は、画像ファイルを短時間で一覧できる画像蓄積装置及びプログラムを提供することを第三の目的とする。
【課題を解決するための手段】
【００１０】
上記第一の目的を達成するための画像蓄積装置は、記憶手段と、前記記憶手段のフォルダを選択するための選択手段と、選択された前記フォルダに応じて、前記選択されたフォルダに直属するファイル又はフォルダのインデックスを表示する第一モード、又は前記選択されたフォルダに従属する所定種の画像ファイル全てのインデックスを表示する第二モードで前記選択されたフォルダに従属するファイル又はフォルダのインデックスを表示し、前記表示されたインデックスに含まれているファイル又はフォルダの操作を受け付けるためのファイル操作手段と、を備える。
【００１１】
第一モードでは、フォルダに直属するファイル又はフォルダのインデックスを表示するので、ディレクトリの木構造を階層的に辿りながらファイルを検索して操作することができる。第二モードでは、フォルダに従属する所定種の画像ファイル全てのインデックスを表示するので、ディレクトリの複数階層に散在している画像ファイルを一覧することができる。選択されたフォルダに応じて第一モードと第二モードの切換を自動で行うことにより、フォルダの用途に応じたファイルの一覧が容易になる。
したがって本発明に係る画像蓄積装置によると、画像ファイルの操作性を向上させることができる。具体的には例えば、写真画像ファイルの撮影日毎にフォルダが作成され、一回の旅行中の全ての撮影日のフォルダが従属している上位フォルダが作成されている場合、その上位フォルダのインデックスが第二モードで表示されると、旅行中の全ての写真画像ファイルを一覧表示することができる。
また、その上位フォルダよりさらに上位階層に、全ての行き先別の旅行フォルダが従属しているフォルダが作成されている場合、行き先別の旅行フォルダより上位のフォルダのインデックスが第一モードで表示されると、旅行の行き先毎に写真画像ファイルを一覧表示することができる。この場合、フォルダの階層が下がるとインデックスの表示が自動で第一モードから第二モードに切り替わるため、ファイルの操作が容易になる。
【００１２】
上記第一の目的を達成するための画像蓄積装置は、前記選択されたフォルダに従属するファイル又はフォルダのインデックスを、前記第一モード、前記第二モードのいずれで表示するかを前記記憶手段のフォルダ毎に設定するための設定手段をさらに備えることが望ましい。フォルダのインデックスを第一モード、第二モードのいずれで表示するかをフォルダ毎に設定する手段を備えることにより、ファイルの操作性をさらに向上させることができる。
【００１３】
上記第一の目的を達成するための画像蓄積装置の前記ファイル操作手段は、前記選択されたフォルダに従属して前記記憶手段に格納されている画像ファイルのサムネイル画像の一覧を、前記選択されたフォルダに従属するファイルのインデックスとして表示することが望ましい。サムネイル画像の一覧をインデックスとして表示することにより、画像ファイルの操作性をさらに向上させることができる。
【００１４】
上記第一の目的を達成するための画像蓄積装置は、外部記憶媒体に格納された画像ファイルを前記第一モードでインデックスが表示される第一フォルダに直属させて前記記憶手段に格納するとともに、前記外部記憶媒体に格納された全てのファイルを、前記外部記憶媒体のディレクトリ木構造を維持したまま前記第二モードでインデックスが表示される第二フォルダに従属させて前記記憶手段に格納する入力手段をさらに備えることが望ましい。外部記憶媒体に格納された全てのファイルを、記憶媒体のディレクトリ木構造を維持したまま所定のフォルダに従属させて記憶手段に格納することにより、記憶媒体に格納されている全てのファイルを完全にバックアップすることができる。また、完全にバックアップされた複数階層のフォルダに散在する画像ファイルは、第二モードでそれらのインデックスを表示することにより、一覧が可能になる。また、第一モードでインデックスが表示されるフォルダに直属させて複数の画像ファイルを記憶手段に格納すると、それらの画像ファイルは第一モードで一度に一覧することが可能である。第一モードでは一覧表示する対象がカレントディレクトリのものだけであるため、第二モードに比べてインデックスを高速に表示できる。したがって、第一フォルダに直属して記憶手段に格納された画像ファイルは、高速な一覧表示が可能である。
【００１５】
上記第二の目的を達成するための画像蓄積装置は、記憶手段と、前記記憶手段の第一フォルダに従属する任意のフォルダを選択するための選択手段と、外部記憶媒体に格納された画像ファイルを前記選択手段によって選択されたフォルダに直属させて前記記憶手段に格納するとともに、前記外部記憶媒体に格納された全てのファイルを、前記外部記憶媒体のディレクトリ木構造を維持したまま前記記憶手段の第二フォルダに従属させて前記記憶手段に格納する入力手段と、任意のフォルダに直属して前記記憶手段に格納されている全てのファイルのインデックスを表示し、前記表示されたインデックスに含まれているファイルの操作を受け付けるためのファイル操作手段と、を備える。外部記憶媒体に格納された全てのファイルを、記憶媒体のディレクトリ木構造を維持したまま記憶手段の第二フォルダに従属させて記憶手段に格納することにより、記憶媒体に格納されている全てのファイルを完全にバックアップすることができる。また、外部記憶媒体に格納された画像ファイルを選択手段によって選択されたフォルダに直属させて記憶手段に格納し、そのフォルダに直属している全てのファイルのインデックスを表示し、表示されたインデックスに含まれているファイルの操作を受け付けることにより、画像ファイルの操作性が向上する。
【００１６】
上記第二の目的を達成するための画像蓄積装置の前記ファイル操作手段は、任意のフォルダに直属して前記記憶手段に格納されている全ての画像ファイルのサムネイル画像の一覧を、前記任意のフォルダに直属して前記記憶手段に格納されている画像ファイルのインデックスとして表示することが望ましい。サムネイル画像の一覧をインデックスとして表示することにより、画像ファイルの操作性が向上する。
【００１７】
上記第二の目的を達成するための画像蓄積装置の前記入力手段は、前記外部記憶媒体に格納された所定種の画像ファイルの全てを前記選択手段によって選択されたフォルダに直属させて前記記憶手段に格納することが望ましい。外部記憶媒体に格納された所定主の画像ファイルの全てを選択手段によって選択されたフォルダに直属させて記憶手段に格納することにより、外部記憶媒体に格納された画像ファイルを逐一選択して記憶手段に格納する手間を低減できる。
【００１８】
上記第二の目的を達成するための画像蓄積装置の前記第一フォルダは前記第二フォルダに従属していないことが望ましい。第一フォルダを第二フォルダに従属させないことにより、同一ファイルが複数の異なるフォルダに従属していることによるユーザの混乱を防止できる。
【００１９】
上記第二の目的を達成するための画像蓄積装置の前記第二フォルダは前記第一フォルダに従属していないことが望ましい。第二フォルダを第一フォルダに従属させないことにより、同一ファイルが複数の異なるフォルダに従属していることによるユーザの混乱を防止できる。
【００２０】
上記第二の目的を達成するための画像蓄積プログラムは、記憶手段と、前記記憶手段の第一フォルダに従属する任意のフォルダを選択するための選択手段と、外部記憶媒体に格納された画像ファイルを前記選択手段によって選択されたフォルダに直属させて前記記憶手段に格納するとともに、前記外部記憶媒体に格納された全てのファイルを、前記外部記憶媒体のディレクトリ木構造を維持したまま前記第一フォルダに従属しない前記記憶手段の第二フォルダに従属させて前記記憶手段に格納する入力手段と、任意のフォルダに直属して前記記憶手段に格納されている全てのファイルのインデックスを表示し、前記表示されたインデックスに含まれているファイルの操作を受け付けるためのファイル操作手段としてコンピュータを機能させる。
【００２１】
上記第三の目的を達成するための画像蓄積装置は、記憶手段と、前記記憶手段のフォルダを選択するための選択手段と、所定のフォルダに従属している所定種の画像ファイルを検索し、前記検索された画像ファイルを前記選択手段によって選択されたフォルダに直属させて前記記憶手段に格納する収集手段と、任意のフォルダに直属して前記記憶手段に格納されている全てのファイルのインデックスを表示し、表示されたインデックスに含まれているファイルの操作を受け付けるためのファイル操作手段と、を備える。
所定のフォルダに従属している所定種の画像ファイルを選択手段によって選択されたフォルダに直属させて格納し、当該選択されたフォルダに直属している全てのファイルのインデックスを表示することで、所定のフォルダにおいては複数階層に散在していた所定種の画像ファイルを一覧することが可能になる。一覧表示する対象がカレントディレクトリのものだけであるため、一覧表示を行う都度ディレクトリを辿って画像ファイルを検索する必要がなく、一覧表示に要する時間を短縮できる。よってこの画像蓄積装置によると、画像ファイルを短時間で一覧できる。
【００２２】
上記第三の目的を達成するための画像蓄積装置の前記収集手段は、検索された画像ファイルを、前記検索された画像ファイルの作成時を表すファイル名にリネームすることが望ましい。作成時を表すファイル名にリネームすることにより、ファイル名からその画像ファイルの作成時を知ることができる。
【００２３】
上記第三の目的を達成するための画像蓄積装置の前記選択手段は、前記所定のフォルダに従属しないフォルダのみ選択可能であることが望ましい。所定のフォルダに従属するフォルダを選択させないことにより、同一ファイルが複数の異なるフォルダに従属していることによるユーザの混乱を防止できる。
【００２４】
上記第三の目的を達成するための画像蓄積装置の前記選択手段は、前記所定のフォルダが従属しないフォルダのみ選択可能であることが望ましい。所定のフォルダが従属するフォルダを選択させないことにより、同一ファイルが複数の異なるフォルダに従属していることによるユーザの混乱を防止できる。
【００２５】
上記第三の目的を達成するための画像蓄積装置の前記ファイル操作手段は、任意のフォルダに直属して前記記憶手段に格納されている全ての画像ファイルのサムネイル画像の一覧を、前記任意のフォルダに直属して前記記憶手段に格納されている画像ファイルのインデックスとして表示することが望ましい。サムネイル画像の一覧をインデックスとして表示することにより、画像ファイルの操作性が向上する。
【００２６】
上記第三の目的を達成するための画像蓄積プログラムは、記憶手段と、前記記憶手段のフォルダを選択するための選択手段と、所定のフォルダに従属している所定種の画像ファイルを検索し、前記検索された画像ファイルを前記選択手段によって選択されたフォルダに直属させて前記記憶手段に格納する収集手段と、任意のフォルダに直属して前記記憶手段に格納されている全てのファイルのインデックスを表示し、表示されたインデックスに含まれているファイルの操作を受け付けるためのファイル操作手段としてコンピュータを機能させる。
【００２７】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【００２８】
また、本発明はプログラムを記録した記録媒体の発明としても、方法の発明としても特定することができる。
【図面の簡単な説明】
【００２９】
【図１】図１は、第一モードでの表示と第二モードでの表示を示す模式図である。
【図２】図２（Ａ）は画像蓄積装置を示す模式図であり、図２（Ｂ）は画像蓄積装置のハードウェア構成を示すブロック図である。
【図３】図３は、画像蓄積プログラムのデータフロー図である。
【図４】図４は、フォルダのモードを設定するための画面を示す模式図である。
【図５】図５は、フォルダを選択するための画面を示す模式図である。
【図６】図６は、ファイルの入力プロセスのデータフロー図である。
【図７】図７は、第一フォルダを選択するための画面を示す模式図である。
【図８】図８は、記憶手段のディレクトリ木構造を示す模式図である。
【図９】図９は、記憶手段のディレクトリ木構造を示す模式図である。
【図１０】図１０は、外部記憶手段のディレクトリ木構造を示す模式図である。
【図１１】図１１は、記憶手段のディレクトリ木構造を示す模式図である。
【図１２】図１２は、外部記憶媒体のディレクトリ木構造を示す模式図である
【図１３】図１３（Ａ）はレイアウト指定ファイルを示す模式図であり、図１３（Ｂ）はレイアウト指定ファイルに基づいて印刷した結果を示す模式図である。
【図１４】図１４は、記憶手段のディレクトリ木構造を示す模式図である。
【図１５】図１５は、画像蓄積プログラムのデータフロー図である。
【図１６】図１６（Ａ）は指示を入力する画面を示す模式図であり、図１６（Ｂ）はフォルダを選択するための画面を示す模式図である。
【図１７】図１７（Ａ）はフォルダを選択する画面を示す模式図であり、図１７（Ｂ）はインデックスを表示する画面を示す模式図である。
【図１８】図１８（Ａ）及び図１８（Ｂ）は、インデックスを表示する画面を示す模式図である。
【図１９】図１９は、ファイルの操作を受け付ける画面を示す模式図である。
【図２０】図２０は、記憶手段のディレクトリ木構造を示す模式図である。
【図２１】図２１は、画像蓄積プログラムのデータフロー図である。
【図２２】図２２は、フォルダを選択するための画面を示す模式図である。
【図２３】図２３は、記憶手段のディレクトリ木構造を示す模式図である。
【図２４】図２４（Ａ）はインデックスの表示を指示するための画面を示す模式図であり、図２４（Ｂ）はフォルダを選択するための画面を示す模式図である。
【図２５】図２５（Ａ）及び図２５（Ｂ）は、インデックスを表示する画面を示す模式図である。
【図２６】図２６は、インデックスを表示する画面を示す模式図である。
【発明を実施するための形態】
【００３０】
（第一実施例）
以下、上記第一の目的を達成する画像蓄積装置及びプログラムの実施の形態を実施例に基づいて説明する。第一実施例では、Ｅｘｉｆファイル形式に準拠した画像ファイル（以下、「Ｅｘｉｆファイル」という）を請求項に記載の所定種の画像ファイルとして説明する。Ｅｘｉｆファイル形式はディジタルスチルカメラ用のファイル形式であり、撮影日時、露出、シャッタースピードなどのディジタル画像に関する付属情報を格納する付属情報領域、ディジタル画像を格納する画像データ領域、画像データ領域に格納したディジタル画像のサムネイル画像を格納するサムネイル画像データ領域などで構成される。
【００３１】
図２（Ａ）は本発明の第一実施例に係る画像蓄積装置１の外観を示す模式図であり、図２（Ｂ）は画像蓄積装置１のハードウェア構成を示すブロック図である。ディジタルスチルカメラ３で作成された画像ファイルはディジタルスチルカメラ３によってリムーバブルメモリ１９に格納され、リムーバブルメモリ１９はユーザによって取り外されて画像蓄積装置１のカードスロットに装着される。これによりディジタルカメラ３で作成された画像ファイルを画像蓄積装置１に入力することが可能になる。画像蓄積装置１は、ＣＰＵ１１、ＲＯＭ１２、ＲＡＭ１３、表示部１４、ハードディスクドライブ（ＨＤＤ）１５、操作部１６、及び、入力部１７を備え、それらはバス１８で相互に接続されている。
【００３２】
ＣＰＵ１１は、ＲＯＭ１２やＨＤＤ１５に格納されたプログラムを実行して画像蓄積装置１の全体を制御する。また、ＣＰＵ１１はＨＤＤ１５に格納された画像蓄積プログラムを実行することで、選択手段、収集手段、ファイル操作手段、設定手段、及び入力手段として機能する。ＲＯＭ１２はＣＰＵ１１が動作するために必要なプログラムやデータを予め記憶しているメモリである。ＲＡＭ１３は各種のプログラム、データなどを一時的に記憶するメモリである。これらのプログラムや各種のデータは、リムーバブルメモリ１９から読み出して入力してもよいし、ネットワークに接続可能な通信手段を備える場合は所定のサーバからネットワークを介してダウンロードして入力してもよい。また、ＵＳＢやＢｌｕｅｔｏｏｔｈなどのパーソナルコンピュータとのインタフェースを備える場合は、インタフェースを介してパーソナルコンピュータから入力するようにしてもよい。
【００３３】
表示部１４は、ＣＲＴやＬＣＤ（Ｌｉｑｕｉｄ Ｃｒｙｓｔａｌ Ｄｉｓｐｌａｙ）、ディスプレイコントローラなどを備える。表示部１４はＣＰＵ１１によって制御され、リムーバブルメモリ１９等から入力されたＥｘｉｆファイルに格納されたディジタル画像などを表示する。また、表示部１４は選択手段、ファイル操作手段、設定手段、及び入力手段としても機能し、フォルダを選択するための画面、ファイル又はフォルダのインデックスを表示するための画面、フォルダ毎にモードを設定するための画面、第一フォルダを選択するための画面、ファイルの操作を受け付けるための画面などを表示する。
【００３４】
ＨＤＤ１５は、ハードディスクやハードディスクコントローラなどを備える。ＨＤＤ１５は記憶手段として機能し、オペレーティングシステム（ＯＳ）、画像蓄積プログラム、Ｅｘｉｆファイル等の画像ファイル、各種のデータなどを格納する。
【００３５】
操作部１６は、表示部１４に表示されるカーソルを上下左右に移動させたり、ハイライト表示の対象とするボタンやフォルダ、サムネイル画像などを選択したりするための４ウェイボタン、選択を決定するための［ＯＫ］ボタン、選択をキャンセルして上位画面あるいは上位のフォルダに戻るための［キャンセル］ボタン、各種のメニューを表示するための［メニュー］ボタンなどの押しボタンスイッチを備える。操作部１６は、選択手段、ファイル操作手段、設定手段、及び入力手段として機能し、表示部１４に表示される項目の選択などに用いられる。
【００３６】
入力部１７は、カードスロット、メモリコントローラなどを備える。入力部１７は入力手段として機能し、ＣＰＵ１１によって制御され、カードスロットに装着されたリムーバブルメモリ１９からのファイルの読み出しやリムーバブルメモリ１９へのファイルの書き込みを行う。リムーバブルメモリ１９は入力部１７に脱着自在の外部記憶媒体であって、具体的には例えばディジタルスチルカメラに脱着自在のカード型フラッシュメモリである。カード型フラッシュメモリ、フレキシブルディスク、ＭＯ、ＣＤ−Ｒ、ＤＶＤなどのリムーバブルメモリ１９を外部記憶媒体とし、それらの外部記憶媒体から入力部１７を介してＨＤＤ１５にデータを書き込んでもよいし、ディジタルカメラ３に内蔵された不揮発性メモリ等を外部記憶媒体とし、そこから入力部１７を介してＨＤＤ１５にデータを書き込んでもよい。
【００３７】
図１は、ＨＤＤ１５のディレクトリ木構造、フォルダＡに直属するファイル又はフォルダのインデックスを表示した状態のインデックス表示画面３１、及びフォルダＣに従属するＥｘｉｆファイル全てのインデックスを表示した状態のインデックス表示画面３２を示す模式図である。図１に示すディレクトリ木構造において例えば［フォルダＡ］のように［］で括られている節点はフォルダに対応しており、例えば００００１．ＪＰＧのように［］で括られていない節点はファイルに対応している。Ｅｘｉｆファイルの拡張子は「ＪＰＧ」である。
【００３８】
図３は、画像蓄積プログラムのデータフロー図である。図示するように画像蓄積プログラムは、モードの設定プロセス２１、フォルダの選択プロセス２２、モードの判定プロセス２３、第一モードで表示プロセス２４、第二モードで表示プロセス２５、操作の実行プロセス２６、及び、ファイルの入力プロセス２７を画像蓄積装置１に実行させる。
【００３９】
モードの設定プロセス２１は、選択されたフォルダに従属するファイル又はフォルダのインデックスを、第一モード、第二モードのいずれで表示するかをＨＤＤ１５のフォルダ毎に設定するプロセスである。
モードの設定プロセス２１は、例えば図４に示すモード設定画面３３を表示部１４に表示し、ユーザによりフォルダ名及びモードが選択されると、選択されたフォルダに対して選択されたモードを設定する。具体的には例えば、モードの設定プロセス２１はＯＳを介してＨＤＤ１５のディレクトリ木構造を特定する情報を取得し、取得した情報のうちフォルダ名を図４に示すように木構造に応じて階層的に表示する。
各フォルダ名の右側には、当該フォルダに対して現在設定されているモードを後述するモード設定情報から取得して（）で括って表示する。ユーザは目的のフォルダ名にカーソルを移動させ、４ウェイボタンの右端又は左端を押下して（）内に表示されるモードを切り換えることで当該フォルダ名に対応するフォルダに設定するモードを選択できる。
［ＯＫ］ボタンが押下されると、モードの設定プロセス２１はフォルダ名と、選択されたモードを表すモード情報とを対応付けてモード設定情報としてＨＤＤ１５に格納する。
これによりフォルダ毎にモードが設定される。フォルダのインデックスを第一モード、第二モードのいずれで表示するかをフォルダ毎に設定できるようにすると、散在するファイルを一覧で表示するか、選択したフォルダに直属するファイルのみを表示するかをユーザが目的に応じてフォルダ毎に選択でき、従ってファイルの操作性が向上する。
【００４０】
フォルダの選択プロセス２２は、フォルダを選択するためのプロセスである。具体的には例えば、フォルダの選択プロセス２２は所定の操作によってユーザからフォルダの選択が指示されると、図５に示すフォルダ選択画面３４を表示部１４に表示する。ユーザにより目的のボタンがハイライト表示の対象とされて［ＯＫ］ボタンが押下されると、フォルダの選択プロセス２２は、［ＯＫ］ボタンが押下されたときにハイライト表示されているボタンに対応するフォルダを選択されたフォルダとして受け付ける。ここで図５において［フォルダＡ］ボタンは［フォルダＡ］フォルダ、［フォルダＣ］ボタンは［フォルダＣ］フォルダ、［カード］ボタンはリムーバブルメモリ１９自体に対応している。フォルダの選択を受け付けると、フォルダの選択プロセス２２は選択されたフォルダ名をモードの判定プロセス２３に出力する。
【００４１】
モードの判定プロセス２３は、フォルダの選択プロセス２２から出力されたファイル名に応じてインデックスを第一モードで表示するか第二モードで表示するかを判定するプロセスである。具体的には例えば、モードの判定プロセス２３は、フォルダの選択プロセス２２、第一モードで表示プロセス２４、又は、第二モードで表示プロセス２５からフォルダ名が出力されると、当該フォルダ名に対応するモード情報をモード設定情報から取得し、取得したモード情報に第一モードが指定されていれば第一モードで表示すると判定し、第一モードで表示プロセス２４に実行を指示する。一方、第二モードが指定されていれば第二モードで表示プロセス２５に実行を指示する。例えば［フォルダＡ］フォルダが選択された場合は第一モードで表示プロセス２４に実行を指示し、［フォルダＣ］フォルダが選択された場合は第二モードで表示プロセス２５に実行を指示する。
【００４２】
第一モードで表示プロセス２４は、フォルダに直属するファイル又はフォルダのインデックスを表示するプロセスである。また、第一モードで表示プロセス２４は、表示されたインデックスに含まれているファイル又はフォルダの操作を受け付ける。具体的には例えば、第一モードで表示プロセス２４は、モードの判定プロセス２３からフォルダ名が出力されると、当該フォルダ名に対応するフォルダに直属してＨＤＤ１５に格納されているファイルのファイル名及びフォルダ名をＯＳから取得し、取得したファイル名に対応するファイルのうちＥｘｉｆファイルについてはそのＥｘｉｆファイルに格納されているサムネイル画像を、Ｅｘｉｆファイル以外のファイルについてはファイルアイコンを、フォルダについてはフォルダアイコンをインデックス表示画面に一覧で表示する。これによりインデックスを表示する。尚、Ｅｘｉｆファイル以外の画像ファイルについてもサムネイル画像を表示してもよい。サムネイル画像の一覧をインデックスとして表示すると、画像の検索が容易になり、画像ファイルの操作性が向上する。
【００４３】
図１に示すインデックス表示画面３１は、［フォルダＡ］フォルダを選択したときのインデックス表示画面を示している。図１に示すように［フォルダＡ］フォルダには直属するファイルとして”００００１．ＪＰＧ”、”００００２．ＪＰＧ”及び”ａｂｃｄｅ．ｔｘｔ”とが存在し、直属するフォルダとして”フォルダＢ”が存在する。図１において”００００３．ＪＰＧ”と”００００４．ＪＰＧ”とは［フォルダＡ］フォルダに従属はするが直属はしないＥｘｉｆファイルである。第一モードで表示プロセス２４は、インデックス表示画面３１に示すように直属するファイルである”００００１．ＪＰＧ”及び”００００２．ＪＰＧ”のサムネイル画像４１及び４２、直属するＥｘｉｆファイル以外のファイルである”ａｂｃｄｅ．ｔｘｔ”を表すファイルアイコン４３、並びに直属するフォルダである”フォルダＢ”を表すフォルダアイコン４４を一覧で表示する。すなわち、従属はするが直属はしないファイル及びフォルダについては、そのサムネイル画像、あるいはそのファイルアイコン、あるいはそのフォルダアイコンをインデックスに含めない。
【００４４】
第一モードで表示プロセス２４は更に、表示されたインデックスに含まれているファイル又はフォルダの操作を受け付ける。具体的には例えば、インデックス表示画面においてサムネイル画像が選択され、その状態で［ＯＫ］ボタンを押下する操作が行われると、第一モードで表示プロセス２４は、その操作を、選択されているサムネイル画像に対応するＥｘｉｆファイルに格納されているディジタル画像を表示する操作として受け付ける。表示する操作を受け付けると、第一モードで表示プロセス２４は選択されたサムネイル画像に対応するＥｘｉｆファイルのファイル名と、”表示”を表す操作情報とを操作の実行プロセス２６に出力する。この他、第一モードで表示プロセス２４は、サムネイル画像が選択されている状態で［メニューボタン］が押下されると、選択されているサムネイル画像に対応するＥｘｉｆファイルに対して実行可能な操作を選択するための操作選択メニューを表示する。これにより表示以外の操作を受け付ける。ここで操作選択メニューに表示する操作項目は、例えば、コピー、リネーム、移動、削除などである。Ｅｘｉｆファイル以外のファイルを表すファイルアイコンが選択されている場合も同様であり、当該ファイルに対して実行可能な操作項目をメニューに表示する。フォルダについての操作は操作選択メニューからのみ受け付ける。表示する操作項目は、例えば、新規フォルダの作成、フォルダのコピー、フォルダのリネーム、フォルダの削除などである。
【００４５】
フォルダアイコンが選択されている状態で［ＯＫ］ボタンが押下されると、第一モードで表示プロセス２４は選択されているフォルダアイコンに対応するフォルダを次に選択されたフォルダとして受け付け、選択されたフォルダ名をモードの判定プロセス２３に出力する。また、［キャンセル］ボタンが押下された場合は選択の有無に関わらず上位階層のフォルダを次に選択されたフォルダとして受け付け、上位階層のフォルダ名をＯＳから取得してモードの判定プロセス２３に出力する。モードの判定プロセス２３は、フォルダ名が出力されると当該フォルダ名に対応するフォルダに設定されているモードに応じて第一モードで表示するか第二モードで表示するかを改めて判定し、判定した結果に応じて第一モードで表示プロセス２４又は第二モードで表示プロセス２５に実行を指示する。従って、第一モードではディレクトリの木構造を階層的に辿りながらファイルを検索して操作することができる。これらのことは、第二モードで表示プロセス２５において［キャンセル］ボタンが押下されたときも同様である。
【００４６】
第二モードで表示プロセス２５は、フォルダに従属するＥｘｉｆファイル全てのインデックスを表示するプロセスである。また、第二モードで表示プロセス２５は、第一モードで表示プロセス２４と同様にファイルに対する操作を受け付ける。
【００４７】
図１に示すインデックス表示画面３２は、［フォルダＣ］フォルダが選択されたときのインデックス表示画面を示している。図１に示すように［フォルダＣ］フォルダには直属するＥｘｉｆファイルとして”００００５．ＪＰＧ”と”００００６．ＪＰＧ”とが存在し、直属するフォルダとして”フォルダＤ”が存在する。”００００７．ＪＰＧ”と”００００８．ＪＰＧ”とは［フォルダＣ］フォルダに従属はするが直属はしないＥｘｉｆファイルである。第二モードで表示プロセス２５は、インデックス表示画面３２に示すように直属するＥｘｉｆファイルである”００００５．ＪＰＧ”及び”００００６．ＪＰＧ”、並びに直属はしないが従属するＥｘｉｆファイルである”００００７．ＪＰＧ”及び”００００８．ＪＰＧ”のサムネイル画像４５、４６、４７及び４８を一覧で表示する。すなわち第二モードで表示プロセス２５は、従属するＥｘｉｆファイルの全てについてそのサムネイル画像をインデックスに含め、フォルダアイコンと、Ｅｘｉｆファイル以外のファイルのファイルアイコンはインデックスに含めない。従って、第二モードではディレクトリの複数階層に散在しているＥｘｉｆファイルを一覧することができる。
【００４８】
操作の実行プロセス２６は、受け付けた操作を実行するプロセスである。第一モードで表示プロセス２４又は第二モードで表示プロセス２５からファイル名又はフォルダ名、並びに操作情報が出力されると、操作の実行プロセス２６は当該ファイル名に対応するファイル又は当該フォルダ名に対応するフォルダに対して操作情報で指定される操作を実行する。例えば”表示”であれば当該ファイル名のＥｘｉｆファイルをＨＤＤ１５から読み込んで当該Ｅｘｉｆファイルに格納されているディジタル画像を表示部１４に表示させる。
【００４９】
ファイルの入力プロセス２７は、リムーバブルメモリ１９に格納されたＥｘｉｆファイルを第一モードでインデックスが表示される第一フォルダに直属させてＨＤＤ１５に格納するとともに、リムーバブルメモリ１９に格納された全てのファイルを、リムーバブルメモリ１９のディレクトリ木構造を維持したまま第二モードでインデックスが表示される第二フォルダに従属させてＨＤＤ１５に格納するプロセスである。
【００５０】
図６は、ファイルの入力プロセス２７をより具体的に説明するためのデータフロー図である。図示するデータディクショナリ”Ａｌｕｂｕｍｓ”と”Ｃａｒｄｓ”とは図３において”画像ファイル”で示されているデータディクショナリ２８に相当する。ファイルの入力プロセス２７は、リムーバブルメモリ１９が入力部１７に装着された状態でユーザからファイルの入力が指示されることで実行される。実行が指示されると、ファイルの入力プロセス２７は具体的には例えば先ず図７に示す第一フォルダ選択画面３５を表示部１４に表示する。第一フォルダ選択画面３５のドロップダウンリストには、［Ａｌｂｕｍｓ］フォルダより下にあるフォルダの中から第一モードが設定されているフォルダのフォルダ名を選択項目として表示する。例えば、ファイルが入力される前のＨＤＤ１５のディレクトリ木構造が図８に示す構造であるとする。この場合、第一フォルダ選択画面３５のドロップダウンリストには図７に示すように”旅行”、”子供”及び”遊園地”が表示される。第一フォルダ選択画面３５においてユーザによりカーソルが目的のフォルダ名に移動されて［ＯＫ］ボタンが押下されると、［ＯＫ］ボタンが押下されたときにカーソルが位置するフォルダ名に対応するフォルダを第一フォルダとして受け付ける。第一フォルダを受け付けると、ファイルの入力プロセス２７はリムーバブルメモリ１９に格納されている全てのＥｘｉｆファイルを選択されたフォルダに直属させて格納する。
【００５１】
また、ファイルの入力プロセス２７は、リムーバブルメモリ１９に格納された全てのファイルを、リムーバブルメモリ１９のディレクトリ木構造を維持したまま第二モードでインデックスが表示される第二フォルダに従属させてＨＤＤ１５に格納する。尚、第一実施例では、常に［Ｃａｒｄｓ］フォルダが第二フォルダとして固定されている場合を例に説明する。
【００５２】
図９は入力プロセスを実行した後のＨＤＤ１５の木構造を示している。例えばリムーバブルメモリ１９のディレクトリ木構造が図１０に示す構造であるとする。図示するように図１０においてＥｘｉｆファイル００００１．ＪＰＧ及び００００２．ＪＰＧと、Ｅｘｉｆファイル００００３．ＪＰＧ及び００００４．ＪＰＧとはリムーバブルメモリ１９では異なるフォルダに直属して格納されている。第一フォルダとして”旅行”が選択されたとすると、ファイルの入力プロセス２７はそれら４つのＥｘｉｆファイルを全て図９の破線５１で示すように”旅行”フォルダの直下に保存する。このとき、”Ａ．ｄｏｃ”については画像ファイルではないため第一フォルダに直属させて格納することはしない。これにより画像ファイルを第一モードでインデックスが表示される第一フォルダに直属させてＨＤＤ１５に格納する。第一モードでインデックスが表示されるフォルダに直属させて複数の画像ファイルをＨＤＤ１５に格納すると、それらの画像ファイルは第一モードで一度に一覧することが可能である。第一モードでは一覧表示する対象がカレントディレクトリのものだけであるため、第二モードに比べてインデックスを高速に表示できる。したがって、第一フォルダに直属してＨＤＤ１５に格納された画像ファイルは、高速な一覧表示が可能である。
【００５３】
また、ファイルの入力プロセス２７は、プロセスの実行日とシリアル番号とからなる名前のフォルダを第二フォルダとしての［Ｃａｒｄｓ］フォルダの直下に作成する。シリアル番号は日付が変わると１にリセットされ、リムーバブルメモリ１９の読み込みが指示される度に１が加算される。図示する例では［２００２１２２５．００１］、［２００２１２２５．００２］及び［２００２１２２８．００１］が作成されたフォルダである。フォルダを作成すると、次に、作成したフォルダの直下にリムーバブルメモリ１９に格納された全てのファイルを木構造を維持したまま格納する。図９において破線５２で囲む領域は、図１０に示すリムーバブルメモリ１９のディレクトリ木構造に一致することになる。リムーバブルメモリ１９に格納された全てのファイルを、リムーバブルメモリ１９のディレクトリ木構造を維持したまま所定のフォルダに従属させてＨＤＤ１５に格納することにより、リムーバブルメモリ１９に格納されている全てのファイルを完全にバックアップすることができる。また、完全にバックアップされた複数階層のフォルダに散在するＥｘｉｆファイルは、第二モードでそれらのインデックスを表示することにより、一覧が可能になる。
【００５４】
尚、第一実施例ではリムーバブルメモリ１９に格納されている全てのＥｘｉｆファイルを第一フォルダに直属させて格納するが、格納するＥｘｉｆファイルをユーザが選択できるようにしてもよい。また、リムーバブルメモリ１９のフォルダを選択できるようにし、選択されたフォルダに直属あるいは従属して格納されているＥｘｉｆファイルのみを格納するようにしてもよい。
【００５５】
以上説明した本発明の第一実施例に係る画像蓄積装置１によると、選択されたフォルダに応じて第一モードと第二モードの切換を自動で行うことにより、フォルダの用途に応じたファイルの一覧が容易になる。したがって画像蓄積装置１によると、Ｅｘｉｆファイルの操作性を向上させることができる。
【００５６】
尚、第一実施例ではサムネイル画像の一覧をインデックスとして表示するが、ファイル名の一覧をインデックスとして表示してもよい。
また、第一実施例では所定種の画像ファイルとしてＥｘｉｆファイル形式の画像ファイルを例に説明したが、所定種の画像ファイルは、ＪＰＥＧ形式、ＴＩＦＦ形式、ビットマップ形式などの他の形式の画像ファイルであってもよい。その場合、サムネイル画像はそれらに関連付けて別途記憶しておくとよい。
【００５７】
（第二実施例）
以下、上記第二の目的を達成するための画像蓄積装置及びプログラムの実施の形態を実施例に基づいて説明する。第一実施例と実質的に同一の部分については説明を省略する。
【００５８】
図１２は、リムーバブルメモリ１９のディレクトリ木構造の一例を示す模式図である。図１２において例えば［Ｇａｚｏｕ］のように［］で括られている節点はフォルダに対応しており、例えば００００１．ＪＰＧのように［］で括られていない節点はファイルに対応している。製造元の異なる複数のディジタルスチルカメラで一つのリムーバブルメモリ１９を用いた場合、［ＤＣＩＭ］フォルダの直下に製造元毎に独立したフォルダが作成され、ディジタルスチルカメラによって作成された画像ファイルなどは該当する製造元のフォルダ下に格納される。図示する例の場合、［１００ＭａｋｅｒＡ］、［１０１ＭａｋｅｒＢ］及び［１０２ＭａｋｅｒＣ］は製造元毎のフォルダを表している。以下、製造元毎のフォルダ下に格納されるファイルについて、［１００ＭａｋｅｒＡ］フォルダを例に説明する。拡張子がｕｓｄのファイルはレイアウト指定ファイルである。レイアウト指定ファイルはディジタル画像を表示あるいは印刷する際のレイアウトを指定するファイルであり、詳しくは後述する。拡張子がｕｓｍのファイルはインデックスファイルである。インデックスファイルにはレイアウト指定ファイルのパスが記述される。拡張子がｕｓｔのファイルは関連付けファイルである。関連付けファイルにはインデックスファイルのパスが記述され、関連付けファイルのファイル名には当該関連付けファイルに関連付ける画像ファイルと同じファイル名が付けられる。
【００５９】
例えばインデックスファイルであるｓｈｉｋａｋｕ＿０．ｕｓｍにレイアウト指定ファイルであるｓｈｉｋａｋｕ００．ｕｓｄのパスが記述されているとする。画像ファイル００００１．ＪＰＧをレイアウト指定ファイルｓｈｉｋａｋｕ００．ｕｓｄに関連付ける場合、００００１．ｕｓｔというファイル名のｕｓｔファイルを作成し、そのｕｓｔファイルにｓｈｉｋａｋｕ＿０．ｕｓｍのパスを記述する。これにより００００１．ＪＰＧとｓｈｉｋａｋｕ００．ｕｓｄとが関連付けられる。
【００６０】
製造元毎のフォルダ下のディレクトリ木構造は製造元が独自に決定してよく、［１００ＭａｋｅｒＡ］フォルダの場合、画像ファイル及び関連付けファイルは［Ｇａｚｏｕ］フォルダに直属又は従属して格納され、レイアウト指定ファイル及びインデックスファイルは［Ｌａｙｏｕｔ］フォルダに直属して格納される。
【００６１】
図１３（Ａ）は、レイアウト指定ファイルを説明するための模式図である。レイアウト指定ファイルは印刷用紙のサイズを指定する情報、ディジタル画像を印刷用紙に配置するための位置情報などをスクリプトによってパーソナルコンピュータやプリンタなどで一義的に解釈可能に定義する。具体的には例えば、図示するように用紙サイズ（例えば「はがき」）、印刷用紙の向き（例えば「縦長」）、ディジタル画像を配置する座標（例えば枠の左上座標（ｘ１，ｙ１）と枠の右下座標（ｘ２，ｙ２））などを定義する。
【００６２】
図１３（Ｂ）は、図１３（Ａ）に示すレイアウト指定ファイルに基づいてディジタル画像を印刷した結果を示す模式図である。図１３（Ｂ）に示す例の場合、印刷サイズとして「はがき」が設定され、ディジタル画像は縦に置かれたはがきの左上を原点とする座標系において（ｘ１，ｙ１）及び（ｘ２，ｙ２）で特定される矩形の領域に印刷される。これによりディジタル画像がレイアウト指定ファイルで指定されたレイアウトで印刷される。ディスプレイに表示する場合も同様であり、その場合、ディジタル画像はディスプレイ上において印刷サイズで指定されるサイズに応じた大きさの領域内の、（ｘ１，ｙ１）及び（ｘ２，ｙ２）で特定される矩形の領域に表示される。
【００６３】
図１４は、リムーバブルメモリ１９のファイルが格納される前のＨＤＤ１５のディレクトリ木構造を示す模式図である。図示する例のディレクトリ木構造は、ＨＤＤ１５に第一フォルダとして［Ａｌｂｕｍｓ］というフォルダが作成され、第二フォルダとして［Ｃａｒｄｓ］フォルダが［Ａｌｂｕｍｓ］に従属せずに作成されていることを表している。逆に［Ａｌｂｕｍｓ］フォルダも［Ｃａｒｄｓ］に従属せずに作成されており、従って第一フォルダと第二フォルダとは互いに従属関係にないことを表している。［旅行］、［子供］及び［遊園地］フォルダは、第一フォルダに相当する［Ａｌｂｕｍｓ］に従属しているフォルダである。［Ａｌｂｕｍｓ］には、画像ファイルを分類して格納するための［旅行］フォルダと［子供］フォルダとが直属して作成され、［子供］フォルダには［遊園地］フォルダが直属して作成されている。
【００６４】
図１５は、第二実施例による画像蓄積プログラムのデータフロー図である。図示するように画像蓄積プログラムは選択の受付プロセス３０、ファイルの格納プロセス３１、ファイルの操作プロセス３３及び操作の実行プロセス３４をコンピュータとしての画像蓄積装置１に実行させる。
【００６５】
選択の受付プロセス３０は、第一フォルダに従属する任意のフォルダの選択を受け付けるプロセスである。選択の受付プロセス３０は、具体的には例えば図１６（Ａ）に示す画面において、ユーザにより［カード読み込み］ボタンがハイライト表示の対象とされて［ＯＫ］ボタンが押下されることで実行される。選択の受付プロセス３０は、図１６（Ｂ）に示す画面を表示部１４に表示し、画面上のドロップダウンリストに第一フォルダに従属する全てのフォルダのフォルダ名を選択項目として表示する。図１４に示す場合であれば”旅行”、”子供”及び”遊園地”がドロップダウンリストに表示される。図１６（Ｂ）においてユーザによりカーソルが目的のフォルダ名に移動されて［ＯＫ］ボタンが押下されると、［ＯＫ］ボタンが押下されたときにカーソルが位置するフォルダ名に対応するフォルダを選択されたフォルダとして受け付ける。フォルダの選択を受け付けると、選択の受付プロセス３０は受け付けたフォルダ名をファイルの格納プロセス３１に出力する。
【００６６】
ファイルの格納プロセス３１は、リムーバブルメモリ１９に格納された全ての画像ファイルを選択されたフォルダに直属させてＨＤＤ１５に格納するとともに、リムーバブルメモリ１９に格納された全てのファイルを、リムーバブルメモリ１９のディレクトリ木構造を維持したままＨＤＤ１５の第二フォルダに従属させてＨＤＤ１５に格納するプロセスである。ファイルの格納プロセス３１は、具体的には例えば、選択されたフォルダのフォルダ名が出力されると、リムーバブルメモリ１９に格納された全ての画像ファイルを選択されたフォルダの直下に格納する。
【００６７】
図１１はファイルの格納プロセスを実行した後のＨＤＤ１５の木構造を示している。図１２に示すように画像ファイル００００１．ＪＰＧ及び００００２．ＪＰＧと、画像ファイル００００３．ＪＰＧ及び００００４．ＪＰＧとはリムーバブルメモリ１９では異なるフォルダに直属して格納されている。選択されたフォルダとして”旅行”が選択されたとすると、ファイルの格納プロセス３１はそれら４つの画像ファイルを全て図１１の破線５１で示すように”旅行”フォルダの直下に保存する。
すなわち、選択されたフォルダに直属させて画像ファイルをＨＤＤ１５に格納する。リムーバブルメモリ１９の異なるフォルダに直属して格納されている画像ファイルを、ＨＤＤ１５に格納する際に一つのフォルダに直属させて格納すると、リムーバブルメモリ１９においては異なるフォルダに直属して格納されていた画像ファイルについて、一つのフォルダを選択するだけでそれら全ての画像ファイルのサムネイル画像が含まれたインデックスを表示することが可能になる。従って画像ファイルを検素する際の手間を低減でき、操作性が向上する。
また、画像ファイルはＨＤＤ１５の選択されたフォルダに直属するため、直属させるフォルダを適宜変更することで目的に応じて画像ファイルをファイルの格納プロセス３１による格納の単位で分類できる。例えば遊園地に行ったとすると、その際に記録した画像ファイルをリムーバブルメモリ１９からＨＤＤ１５に格納する際に、そのリムーバブルメモリ１９に格納されている画像ファイルについて一括して例えば［遊園地］フォルダに直属して格納できる。
また、後述するファイルの操作プロセス３３は選択されたフォルダに直属しない画像ファイルをインデックスに含めない。従って画像ファイルをフォルダに分類して格納することで検索が容易になり、操作性が更に向上する。また、全ての画像ファイルをＨＤＤ１５に格納することにより、ＨＤＤ１５に格納する画像ファイルを逐一選択する手間を低減できる。尚、格納する画像ファイルをユーザが選択できるようにしてもよいし、リムーバブルメモリ１９のフォルダを選択できるようにし、選択されたフォルダに直属あるいは従属して格納されている画像ファイルのみを全て格納するようにしてもよい。
【００６８】
また、ファイルの格納プロセス３１は、プロセスの実行日とシリアル番号とからなる名前のフォルダを第二フォルダとしての［Ｃａｒｄｓ］フォルダの直下に作成する。シリアル番号は日付が変わると１にリセットされ、リムーバブルメモリ１９の読み込みが指示される度に１が加算される。図示する例では［２００２１２２５．００１］、［２００２１２２５．００２］及び［２００２１２２８．００１］が作成されたフォルダである。フォルダを作成すると、次に、作成したフォルダの直下にリムーバブルメモリ１９に格納された全てのファイルを木構造を維持したまま格納する。従って、図１１において破線５２で囲む領域は、図１２に示すリムーバブルメモリ１９のディレクトリ木構造に一致することになる。第二フォルダである［Ｃａｒｄｓ］フォルダは第一フォルダである［Ａｌｂｕｍｓ］フォルダに従属しないため、同一ファイルが複数の異なるフォルダに従属していることによるユーザの混乱を防止できる。
【００６９】
ファイルの操作プロセス３３は、任意のフォルダに直属してＨＤＤ１５に格納されている全てのファイルのインデックスを表示するプロセスである。また、ファイルの操作プロセス３３は、表示中のインデックスに含まれるファイルの選択及び操作を受け付ける。ファイルの操作プロセス３３は、具体的には例えば図１６（Ａ）に示す画面において［ブラウズ］が選択されることで実行される。ファイルの操作プロセス３３は、具体的には例えば図１７（Ａ）に示す画面を表示部１４に表示し、ユーザにより目的のボタンがハイライト表示の対象とされて［ＯＫ］ボタンが押下されると、［ＯＫ］ボタンが押下されたときにハイライト表示されているボタンに対応するフォルダを選択されたフォルダとして受け付ける。ここで図１７（Ａ）において［アルバム保管庫］ボタンは［Ａｌｂｕｍｓ］フォルダ、［カード保管庫］ボタンは［Ｃａｒｄｓ］フォルダ、［カード］ボタンはリムーバブルメモリ１９自体に対応している。次に、選択されたフォルダに直属して格納されている全てのファイルのインデックスを表示する。
【００７０】
図１１に示す例の場合、［Ａｌｂｕｍｓ］フォルダには直属するファイルが存在せず、フォルダのみが存在する。このため、［アルバム保管庫］ボタンが選択されると図１７（Ｂ）に示す様にファイルのインデックスを表示するための画面にはファイルのインデックスは表示されず、直属するフォルダを表すフォルダアイコンの一覧だけが表示される。図１７（Ｂ）において例えば”旅行”フォルダがハイライト表示の対象とされて［ＯＫ］ボタンが押下されると、ファイルの操作プロセス３３は”旅行”フォルダを次に選択されたフォルダとして受け付ける。”旅行”フォルダには４つの画像ファイルが直属して格納されているため、”旅行”フォルダに直属して格納されている全ての画像ファイルのサムネイル画像データ領域に格納されているサムネイル画像の一覧をファイルのインデックスとして図１８（Ａ）に示すように表示する。このときファイルの操作プロセス３３は、サムネイル画像が選択されたとき対応する画像ファイルを一意に特定できるよう、表示するサムネイル画像と当該サムネイル画像のサムネイル画像データを格納している画像ファイルのファイル名とを対応付けて記憶する。フォルダアイコンや後述する文書アイコンについても同様である。サムネイル画像の一覧をインデックスとして表示すると目的の画像ファイルの検索が容易になり、画像ファイルの操作性が向上する。
【００７１】
図１７（Ａ）に示す画面において［カード保管庫］ボタンが選択された場合も同様である。［カード保管庫］ボタンが選択された場合であって、”Ｇａｚｏｕ”フォルダを選択されたフォルダとして受け付けた場合、図１８（Ｂ）に示すように”Ｇａｚｏｕ”フォルダに直属する画像ファイルである”００００１．ＪＰＧ”及び”００００２．ＪＰＧ”のサムネイル画像のみをファイルのインデックスとして表示する。ファイルのインデックスを表示する画面には図１８（Ｂ）に示すようにファイルのインデックスやフォルダアイコンに加え、選択されたフォルダに直属するその他のファイル（例えば”００００１．ｕｓｔ”）を表す文書アイコンも併せて表示する。図１８（Ｂ）から明らかなように、”Ｇａｚｏｕ”フォルダが選択されたフォルダであるとき、ファイルのインデックスには”Ｇａｚｏｕ”フォルダに直属する”ＳｕｂＦｏｌｅｄｅｒ”フォルダに直属する画像ファイルである”００００３．ＪＰＧ”及び”００００４．ＪＰＧ”についてのサムネイル画像は含めない。ここで”００００３．ＪＰＧ”及び”００００４．ＪＰＧ”は”Ｇａｚｏｕ”フォルダに直属はしていないが、ディレクトリ木構造としては”Ｇａｚｏｕ”フォルダの下に作成されているフォルダに直属して格納されているため、”Ｇａｚｏｕ”フォルダに従属している画像ファイルではある。
【００７２】
すなわちファイルの操作プロセス３３は、従属はするが直属はしない画像ファイルについてはそのサムネイル画像をインデックスに含めない。このため、選択されたフォルダのインデックスを表示するにあたっては当該フォルダに直属して格納されている画像ファイルのみを検索すればよく、従属している画像ファイルについてはディレクトリを辿って検索する必要がない。従って検索時間を短縮でき、高速表示が可能である。また例えば、一般的なファイルシステムにおけるファイルのインデックス表示とインデックスの区切が同様であるため、すなわち、あるフォルダに従属しているが直属していないファイルを当該フォルダのインデックスに含めないため、ＨＤＤ１５のディレクトリ木構造がユーザにとって把握しやすい。例えばフォルダが選択されたとき、当該フォルダに直属している画像ファイルのみを含めると、ユーザはそのフォルダにどの画像ファイルが直属しているかを知ることができる。また、フォルダアイコンを併せて表示することでフォルダの階層構造を知ることができる。
【００７３】
ファイルの操作プロセス３３は更に、表示中のインデックスに含まれるファイルの選択及び操作を受け付ける。具体的には例えば、図１８（Ａ）や図１８（Ｂ）に示す画面においてユーザによりサムネイル画像が選択されて［ＯＫ］ボタンが押下されることで選択を受け付ける。選択を受け付けると、次に、ファイルに対する操作を受け付ける。具体的には例えば図１９に示す画面を表示部１４に表示し、ユーザによりカーソルが目的の操作項目に移動されて［ＯＫ］ボタンが押下されると、［ＯＫ］ボタンが押下されたときにカーソルが位置する操作項目を選択された操作として受け付ける。操作を受け付けると、ファイルの操作プロセス３３は選択されたサムネイル画像に対応する画像ファイルのファイル名と、受け付けた操作を表す操作情報とを操作の実行プロセス３４に出力する。
【００７４】
操作の実行プロセス３４は、ファイルに対する操作を実行するプロセスである。操作の実行プロセス３４は、画像ファイルのファイル名と操作情報とが出力されると、当該ファイル名で特定される画像ファイルに対して操作情報で表される操作を実行する。例えば操作として”表示”が選択された場合、出力されたファイル名に対応する画像ファイル（以下、「選択された画像ファイル」という）に格納されているディジタル画像を表示部１４に表示する。また、例えば操作として”削除”が選択された場合は、選択された画像ファイルを削除する。移動が選択された場合は、移動先のフォルダを選択するための図示しないフォルダ選択画面を表示し、選択された画像ファイルをフォルダ選択画面で選択されたフォルダに移動する。尚、フォルダ選択画面で選択されたフォルダに同じ名前の画像ファイルが既に存在する場合は重複しないファイル名を付けて格納するものとする。コピーが選択された場合は、コピー先のフォルダを選択するためのフォルダ選択画面を表示し、選択された画像ファイルをフォルダ選択画面で選択されたフォルダにコピーする。尚、選択された画像ファイルが直属して格納されているフォルダが選択された場合は、重複しないファイル名を付けて格納するものとする。リネームが選択された場合は、ファイル名を指定するための図示しないファイル名指定画面を表示し、選択された画像ファイルのファイル名をファイル名指定画面で指定されたファイル名に変更する。
【００７５】
以上説明した第二実施例によると、リムーバブルメモリ１９に格納された全てのファイルを、リムーバブルメモリ１９のディレクトリ木構造を維持したまま［Ｃａｒｄｓ］フォルダに従属させてＨＤＤ１５に格納する。これにより、リムーバブルメモリ１９に格納されている全てのファイルを完全にバックアップすることができる。また、リムーバブルメモリ１９に格納された画像ファイルを選択されたフォルダに直属させてＨＤＤ１５に格納し、そのフォルダに直属している全てのファイルのインデックスを表示し、表示されたインデックスに含まれているファイルの操作を受け付けることにより、画像ファイルの操作性が向上する。
【００７６】
更に、第二実施例によると、リムーバブルメモリ１９に格納されているファイルを完全にバックアップするため、画像ファイルに関連付けて格納されたプリント指定ファイル、レイアウト指定ファイル等の画像ファイル以外のファイルと画像ファイルとの関連付けを維持できる。
【００７７】
尚、第二実施例ではサムネイル画像の一覧をインデックスとして表示するが、ファイル名の一覧をインデックスとして表示してもよい。
【００７８】
（第三実施例）
以下、上記第二の目的を達成するための画像蓄積装置及びプログラムの実施の形態を実施例に基づいて説明する。第一実施例と実質的に同一の部分については説明を省略する。Ｅｘｉｆ形式の画像ファイルに格納されている撮影日時は当該画像ファイルに格納されたディジタル画像の撮影を行った時を表す情報であり、第三実施例では撮影日時が画像ファイルの作成時に相当する。また、請求項に記載の「所定のフォルダ」とは、画像蓄積装置に格納する所定種の画像ファイルが従属して格納されている任意のフォルダのことをいい、第三実施例では画像蓄積装置に脱着自在のリムーバブルメモリのルートフォルダが「所定のフォルダ」として固定されている場合を例に説明する。すなわち第三実施例では、ディジタルスチルカメラで作成されリムーバブルメモリに格納されている全てのＥｘｉｆファイルを画像蓄積装置に蓄積する場合を例に説明する。ここでルートフォルダとは、リムーバブルメモリにおいてディレクトリ木構造の各節点を構成するフォルダのうち、最上位にあってディレクトリ木構造の起点となるフォルダのことをいう。
【００７９】
図２１は、画像蓄積プログラムのデータフロー図である。図示するように画像蓄積プログラムは、フォルダの選択プロセス２１、ファイルの収集プロセス２２、ファイルの操作プロセス２３、及び、操作の実行プロセス２４を画像蓄積装置１に実行させる。
【００８０】
フォルダの選択プロセス２１は、ＨＤＤ１５のフォルダを選択するためのプロセスである。フォルダの選択プロセス２１は、リムーバブルメモリ１９が入力部１７に装着された状態でユーザから所定の指示が入力されることで実行される。実行が指示されると、フォルダの選択プロセス２１は具体的には例えば先ず図２２に示すフォルダ選択画面３１を表示部１４に表示する。フォルダ選択画面３１のドロップダウンリストには、ＨＤＤ１５に作成されているフォルダのフォルダ名を選択項目として表示する。
表示するのはＨＤＤ１５に作成されているフォルダのフォルダ名のみであることから、所定のフォルダであるリムーバブルメモリ１９のルートフォルダに従属するフォルダについては表示されない。これにより所定のフォルダに従属するフォルダを選択することが不可能になり、同一ファイルが複数の異なるフォルダに従属していることによるユーザの混乱を防止できる。また、第三実施例では画像ファイルの管理を容易にするため［Ａｌｂｕｍｓ］フォルダというフォルダの下に画像ファイル格納用のフォルダを任意に作成し、作成したフォルダに直属させて画像ファイルを格納するものとする。
従って、ファイルが格納される前のＨＤＤ１５のディレクトリ木構造が図２３に示す構造であるとすると、［Ａｌｂｕｍｓ］フォルダを含め［Ａｌｂｕｍｓ］フォルダより上位層のフォルダについてはドロップダウンリストに表示しない。
以上のことから、ＨＤＤ１５のディレクトリ木構造が図２３に示す構造である場合、フォルダ選択画面３１のドロップダウンリストには図２２に示すように、”旅行”、”子供”及び”遊園地”のみが表示される。フォルダ選択画面３１においてユーザによりカーソルが目的のフォルダ名に移動されて［ＯＫ］ボタンが押下されると、フォルダの選択プロセス２１は［ＯＫ］ボタンが押下されたときにカーソルが位置するフォルダ名に対応するフォルダを選択されたフォルダとして受け付ける。フォルダの選択を受け付けると、フォルダの選択プロセス２１は選択されたフォルダ名をファイルの収集プロセス２２に出力する。
【００８１】
ファイルの収集プロセス２２は、所定のフォルダに従属しているＥｘｉｆファイルを検索し、検索されたＥｘｉｆファイルを、当該Ｅｘｉｆファイルの作成時を表すファイル名にリネームして、フォルダの選択プロセス２１によって選択されたフォルダに直属させてＨＤＤ１５に格納するプロセスである。具体的には例えば、ファイルの収集プロセス２２は所定のフォルダを起点にディレクトリを下位層に向かって順に辿り、所定のフォルダに直属して格納されているＥｘｉｆファイル、及び所定のフォルダに従属するフォルダに直属して格納されているＥｘｉｆファイルを検索する。Ｅｘｉｆファイルが検索されると、検索されたＥｘｉｆファイルを選択されたフォルダの直下にコピーする。このときファイルの収集プロセス２２は、検索されたＥｘｉｆファイルの付属情報から撮影日時を取得し、コピーによって新たに作成するＥｘｉｆファイルのファイル名を、取得した撮影日時を表すファイル名に変更する。
【００８２】
図２０は、Ｅｘｉｆファイルを格納した後のＨＤＤ１５のディレクトリ木構造の一例を示す模式図である。例えばリムーバブルメモリ１９のディレクトリ木構造が図２０に示す構造であるとする。尚、図２０においてリムーバブルメモリ１９に格納されている各Ｅｘｉｆファイルの下に（）で括られて示されている日付は当該Ｅｘｉｆファイルの付属情報に格納されている撮影日時を表している。
第三実施例では作成時として日付、時間及び分を表す撮影日時を例に説明するが、作成時は日付のみ、あるいは時間及び分のみを表す情報であってもよく、作成時が表す情報は必要に応じて適宜設定してよい。
ファイルの収集プロセス２２は、フォルダの選択プロセス２１からフォルダ名が出力されると、所定のフォルダである［リムーバブルメモリ￥］フォルダからディレクトリを順に辿ってＥｘｉｆファイルを検索する。これにより”００００１．ＪＰＧ”、”００００２．ＪＰＧ”、”Ａ００１．ＪＰＧ”、及び、”Ａ００２．ＪＰＧ”が順に検索される。
例えば”００００１．ＪＰＧ”が検索された場合、ファイルの収集プロセス２２は”００００１．ＪＰＧ”のコピーを”２００３０１０９１００５．ＪＰＧ”というファイル名で［旅行］フォルダの直下に格納する。ここでファイル名中の”２００３”は撮影日時の２００３年に対応している。同様に”０１”は１月、”０９”は９日、”１００５”は１０時５分に対応している。
従ってファイル名は撮影日時を表していることになる。他のＥｘｉｆファイルについても同様にリネームして全て［旅行］フォルダの直下に格納する。撮影日時を表すファイル名にリネームすると、ファイル名からその画像ファイルを作成した日付、時間及び分を知ることができる。このため、画像ファイルの撮影日時を知るために別途そのための手段を備える必要が無く、また、撮影日時を知るために画像ファイルをオープンして付属情報から撮影日時を取得する処理を実行する必要が無いことから、撮影日時を知るために要する時間を短縮できる。
また、第三実施例のファイルの収集プロセス２２は画像ファイルの付属情報に格納されている撮影日時を作成時として取得するため、当該画像ファイルに格納されているディジタル画像を撮影した時を確実に知ることができる。一般にファイルにはそのファイルを作成した日付や時刻を表す情報が付加されるが、それらの情報はコピーや編集を行う度に変更される場合があり、必ずしも画像ファイルに格納されているディジタル画像の撮影を行った時を表すとは限らない。
従って付属情報に格納された撮影日時を画像ファイルの作成時として取得するとディジタル画像を撮影した時を確実に知ることができる。尚、画像ファイルがＥｘｉｆファイル形式でない場合などは、画像ファイルに付加される情報を作成時として取得してもよい。
【００８３】
尚、第三実施例では所定のフォルダがリムーバブルメモリ１９のルートフォルダに固定されている場合を例に説明したが、所定のフォルダをユーザが選択できるようにしてもよい。その場合、所定のフォルダはＨＤＤ１５のフォルダであってもよい。また、ディジタルスチルカメラと画像蓄積装置とをケーブル接続し、ディジタルスチルカメラの記憶手段のフォルダを所定のフォルダとしてもよい。また、第三実施例ではリムーバブルメモリ１９に格納されている全てのＥｘｉｆファイルを選択されたフォルダに直属させて格納するが、格納するＥｘｉｆファイルをユーザが選択できるようにしてもよい。また、リムーバブルメモリ１９のフォルダを選択できるようにし、選択されたフォルダに直属あるいは従属して格納されているＥｘｉｆファイルのみを格納するようにしてもよい。
【００８４】
ファイルの操作プロセス２３は、フォルダに直属している全てのファイルのインデックスを表示し、表示されたインデックスに含まれているファイルの操作を受け付けるためのプロセスである。ファイルの操作プロセス２３は、具体的には例えば図２４（Ａ）に示す画面３２において［ブラウズ］が選択されることで実行が開始される。実行が開始されると、ファイルの操作プロセス２３は、具体的には例えば図２４（Ｂ）に示す画面３３を表示部１４に表示し、ユーザにより目的のボタンがハイライト表示の対象とされて［ＯＫ］ボタンが押下されると、［ＯＫ］ボタンが押下されたときにハイライト表示されているボタンに対応するフォルダを指定されたフォルダとして受け付ける。ここで図２４（Ｂ）において［アルバム保管庫］ボタンは［Ａｌｂｕｍｓ］フォルダ、［カード］ボタンはリムーバブルメモリ１９自体に対応している。次に、指定されたフォルダに直属して格納されている全てのファイルのインデックスをインデックス表示画面に表示する。
【００８５】
図２５（Ａ）、図２５（Ｂ）及び図２６はインデックス表示画面を示す模式図である。例えば図２０に示す［Ａｌｂｕｍｓ］フォルダの場合、直属して格納されているファイルは存在せず、フォルダのみが存在する。このため、［アルバム保管庫］ボタンが選択されると図２５（Ａ）に示す様にインデックス表示画面３４にはファイルのインデックスは表示されず、直属するフォルダを表すフォルダアイコンの一覧だけが表示される。
図２５（Ａ）において例えば［旅行］フォルダがハイライト表示の対象とされて［ＯＫ］ボタンが押下されると、ファイルの操作プロセス２３は［旅行］フォルダを次に指定されたフォルダとして受け付ける。尚、［キャンセル］ボタンが押下されたときは上位階層のフォルダが指定されるものとする。［旅行］フォルダには前述したようにファイルの収集プロセス２２によって４つのＥｘｉｆファイルが直属して格納されているため、ファイルの操作プロセス２３はそれら４つのＥｘｉｆファイルのサムネイル画像データ領域に格納されているサムネイル画像の一覧をファイルのインデックスとして図２５（Ｂ）に示すインデックス表示画面３５のように表示する。
サムネイル画像の一覧をインデックスとして表示すると目的の画像ファイルの検索が容易になり、画像ファイルの操作性が向上する。また、ファイルの操作プロセス２３は、図示するように各サムネイル画像の下に当該サムネイル画像に対応する画像ファイルのファイル名を表示する。これにより、ユーザは各サムネイル画像に対応する画像ファイルの作成時を短時間に知ることができる。
【００８６】
また、例えば［カード］ボタンが選択された場合であって、”Ｇａｚｏｕ”フォルダを指定されたフォルダとして受け付けた場合、ファイルの操作プロセス２３は図２６に示すインデックス表示画面３６のように［Ｇａｚｏｕ］フォルダに直属する画像ファイルである”００００１．ＪＰＧ”及び”００００２．ＪＰＧ”のサムネイル画像に加え、Ｅｘｉｆファイル以外のファイルである”ａｂｃｄｅ．ｔｘｔ”に対応するファイルアイコンについてもインデックスに含めて表示する。すなわち、ファイルの操作プロセス２３は、Ｅｘｉｆファイルであるか否かによらず、フォルダに直属している全てのファイルのインデックスを表示する。
【００８７】
ファイルの操作プロセス２３は更に、表示されたインデックスに含まれているファイルの操作を受け付ける。具体的には例えば、インデックス表示画面においてサムネイル画像が選択された状態で［ＯＫ］ボタンを押下する操作が行われると、ファイルの操作プロセス２３は、その操作を、選択されているサムネイル画像に対応するＥｘｉｆファイルに格納されているディジタル画像を表示する操作として受け付ける。表示する操作を受け付けると、ファイルの操作プロセス２３は選択されたサムネイル画像に対応するＥｘｉｆファイルのファイル名と、”表示”を表す操作情報とを操作の実行プロセス２４に出力する。
この他、ファイルの操作プロセス２３は、サムネイル画像が選択されている状態で［メニューボタン］が押下されると、選択されているサムネイル画像に対応するＥｘｉｆファイルに対して実行可能な操作を選択するための操作選択メニューを表示する。これにより表示以外の操作を受け付ける。ここで操作選択メニューに表示する操作項目は、例えば、コピー、リネーム、移動、削除などである。Ｅｘｉｆファイル以外のファイルを表すファイルアイコンが選択されている場合も同様であり、当該ファイルに対して実行可能な操作項目をメニューに表示する。
【００８８】
操作の実行プロセス２４は、受け付けた操作を実行するプロセスである。ファイルの操作プロセス２３からＥｘｉｆファイル名及び操作情報が出力されると、操作の実行プロセス２４は当該ファイル名に対応するファイルに対して操作情報で指定される操作を実行する。例えば”表示”であれば当該ファイル名のＥｘｉｆファイルをＨＤＤ１５から読み込んで当該Ｅｘｉｆファイルに格納されているディジタル画像を表示部１４に表示させる。
【００８９】
以上説明した本発明の第三実施例によると、リムーバブルメモリ１９のルートフォルダに従属しているＥｘｉｆファイルをファイルの選択プロセスによって選択されたフォルダに直属させて格納し、当該選択されたフォルダに直属している全てのファイルのインデックスを表示する。これにより、リムーバブルメモリ１９においては複数階層に散在していたＥｘｉｆファイルを一覧することが可能になる。このとき、一覧表示する対象がカレントディレクトリのものだけであるため、一覧表示を行う都度ディレクトリを辿って画像ファイルを検索する必要がなく、一覧表示に要する時間を短縮できる。よってこの画像蓄積装置１によると、画像ファイルを短時間で一覧できる。
【００９０】
尚、第三実施例ではサムネイル画像の一覧をインデックスとして表示するが、ファイル名の一覧をインデックスとして表示してもよい。
【００９１】
また、第三実施例では所定種の画像ファイルとしてＥｘｉｆファイル形式の画像ファイルを例に説明したが、所定種の画像ファイルは、ＪＰＥＧ形式、ＴＩＦＦ形式、ビットマップ形式などの他の形式の画像ファイルであってもよい。その場合、サムネイル画像はそれらに関連付けて別途記憶しておくとよい。
【００９２】
また、第三実施例では画像ファイルをＨＤＤ１５に格納するとき、検索された画像ファイルをコピーすることで検索された画像ファイルをそのまま残しているが、検索された画像ファイルを移動することにより格納してもよい。
【図１】
2010134920.tif 000003
【図２】
2010134920.tif 000004
【図３】
2010134920.tif 000005
【図４】
2010134920.tif 000006
【図５】
2010134920.tif 000007
【図６】
2010134920.tif 000008
【図７】
2010134920.tif 000009
【図８】
2010134920.tif 000010
【図９】
2010134920.tif 000011
【図１０】
2010134920.tif 000012
【図１１】
2010134920.tif 000013
【図１２】
2010134920.tif 000014
【図１３】
2010134920.tif 000015
【図１４】
2010134920.tif 000016
【図１５】
2010134920.tif 000017
【図１６】
2010134920.tif 000018
【図１７】
2010134920.tif 000019
【図１８】
2010134920.tif 000020
【図１９】
2010134920.tif 000021
【図２０】
2010134920.tif 000022
【図２１】
2010134920.tif 000023
【図２２】
2010134920.tif 000024
【図２３】
2010134920.tif 000025
【図２４】
2010134920.tif 000026
【図２５】
2010134920.tif 000027
【図２６】
2010134920.tif 000028